(57)【特許請求の範囲】
【請求項１】
内部に温水の通路となる温水路を有したシート状のマット部材と、前記マット部材の端部に設けられ、熱源機側から供給される温水を入力して温水路に供給する入力部及び前記温水路からの温水を出力する出力部を有した接続ケースと、前記熱源機からの温水を屋内に導く温水コンセントと前記接続ケースとに両端部がそれぞれ接続された状態において、前記温水コンセントに設けられる温水供給路と前記入力部とを接続する温水往路及び前記温水コンセントに設けられる温水排出路と前記出力部とを接続する温水復路を有した温水プラグと、を備えた温水マットであって、
前記温水プラグは、前記温水コンセント接続時において、前記熱源機のマイコンポートから延びる第１接続線に接続する第２接続線をさらに有し、
前記接続ケースは、前記温水プラグ接続時において前記第２接続線に接続される第３接続線と、電源又はグランドに接続される第４接続線と、前記第３接続線と前記第４接続線とを電気的に接続又は開放するスイッチ部と、をさらに有し、
前記スイッチ部が操作され、前記第３接続線と前記第４接続線とが電気的に接続されて前記熱源機のマイコンポートが前記第４接続線と同電位となることにより、前記熱源機側から温水が供給される
ことを特徴とする温水マット。
【請求項２】
前記第４接続線は、グランドに接続される
ことを特徴とする請求項１に記載の温水マット。
【請求項３】
前記第４接続線は、前記温水コンセント又は前記接続ケースにおいてグランドに接続される
ことを特徴とする請求項２に記載の温水マット。
【請求項４】
温水を生成する熱源機と、
内部に温水の通路となる温水路を有したシート状のマット部材と、前記マット部材の端部に設けられ、熱源機側から供給される温水を入力して温水路に供給する入力部及び前記温水路からの温水を出力する出力部を有した接続ケースと、前記熱源機からの温水を屋内に導く温水コンセントと前記接続ケースとに両端部がそれぞれ接続された状態において、前記温水コンセントに設けられる温水供給路と前記入力部とを接続する温水往路及び前記温水コンセントに設けられる温水排出路と前記出力部とを接続する温水復路を有した温水プラグと、を備えた温水マットと、を備え、
前記温水プラグは、前記温水コンセント接続時において、前記熱源機のマイコンポートから延びる第１接続線に接続する第２接続線をさらに有し、
前記接続ケースは、前記温水プラグ接続時において前記第２接続線に接続される第３接続線と、電源又はグランドに接続される第４接続線と、前記第３接続線と前記第４接続線とを電気的に接続又は開放するスイッチ部と、をさらに有し、
前記スイッチ部が操作され、前記第３接続線と前記第４接続線とが電気的に接続されて前記熱源機のマイコンポートが前記第４接続線と同電位となることにより、前記熱源機側から前記温水マットに温水が供給される
ことを特徴とする床暖房システム。
【発明の詳細な説明】
【技術分野】
【０００１】
本発明は、温水マット及び床暖房システムに関する。
【背景技術】
【０００２】
従来、熱源機からの温水を床下に敷設された配管に供給することにより、床面を温める床暖房装置が知られている。このような床暖房装置は温水の通路となる配管等を床下に設置する必要がある。このため、当該装置を新規住宅購入時に以外において必要とする場合には高額なリフォーム費用を要して床暖房装置を設置することとなってしまう。
【０００３】
そこで、熱源機からの温水を導入して床暖房装置と同様に床を温める温水マットが提案されている。この温水マットは、床上に配置され、その上にカーペット等が敷かれることにより、電気カーペット感覚で使用することができ、且つ、高額なリフォーム費用を不要とすることができる（例えば特許文献１及び２参照）。
【先行技術文献】
【特許文献】
【０００４】
【特許文献１】特開２０００−３３７６４４号公報
【特許文献２】特開２０００−２８３４７５号公報
【発明の概要】
【発明が解決しようとする課題】
【０００５】
しかし、特許文献１に記載の温水マットは、利便性について向上の余地があった。例えば、温水マットはカーペット感覚で使用でき、しかも移動自在であるため、居間や縁側等で使用することができる。しかし、温水マットを使用するためには、温水マットに温水を供給する熱源機をオンしなければならない。一般に熱源機は屋内からオンオフ操作できるように壁等にリモコンが設置されているが、このリモコンは、通常台所や風呂場に設けられている。このため、折角温水マットが移動自在にも拘わらず、温水マットを使用するためには台所や風呂場に足を運び、熱源機をオンしなければならず、利便性について向上の余地があった。
【０００６】
さらに、熱源機が赤外線リモコンによりオンオフ操作が可能であったとしても、温水マットを使用する冬場等の寒い時期では各部屋を閉め切ることが多いことから、居間から台所等に設けられる受信器まで赤外線が飛ばないことが多い。このため、温水マットを使用するためには結局台所や風呂場に足を運ぶこととなり、改善にはつながらない。
【０００７】
本発明はこのような従来の課題を解決するためになされたものであり、その目的とするところは、利便性を向上させることが可能な温水マット及び床暖房システムを提供することにある。
【課題を解決するための手段】
【０００８】
本発明の温水マットは、内部に温水の通路となる温水路を有したシート状のマット部材と、マット部材の端部に設けられ、熱源機側から供給される温水を入力して温水路に供給する入力部及び温水路からの温水を出力する出力部を有した接続ケースと、熱源機からの温水を屋内に導く温水コンセントと接続ケースとに両端部がそれぞれ接続された状態において、温水コンセントに設けられる温水供給路と入力部とを接続する温水往路及び温水コンセントに設けられる温水排出路と出力部とを接続する温水復路を有した温水プラグと、を備えた温水マットであって、温水プラグは、温水コンセント接続時において、熱源機のマイコンポートから延びる第１接続線に接続する第２接続線をさらに有し、接続ケースは、温水プラグ接続時において、第２接続線に接続される第３接続線と、電源又はグランドに接続される第４接続線と、第３接続線と第４接続線とを電気的に接続又は開放するスイッチ部と、をさらに有し、スイッチ部が操作され、第３接続線と第４接続線とが電気的に接続されて熱源機のマイコンポートが第４接続線と同電位となることにより、熱源機側から温水が供給されることを特徴とする。
【０００９】
さらに、本発明の床暖房システムは、温水を生成する熱源機と、内部に温水の通路となる温水路を有したシート状のマット部材と、マット部材の端部に設けられ、熱源機側から供給される温水を入力して温水路に供給する入力部及び温水路からの温水を出力する出力部を有した接続ケースと、熱源機からの温水を屋内に導く温水コンセントと接続ケースとに両端部がそれぞれ接続された状態において、温水コンセントに設けられる温水供給路と入力部とを接続する温水往路及び温水コンセントに設けられる温水排出路と出力部とを接続する温水復路を有した温水プラグと、を備えた温水マットと、を備え、温水プラグは、温水コンセント接続時において、熱源機のマイコンポートから延びる第１接続線に接続する第２接続線をさらに有し、接続ケースは、温水プラグ接続時において、第２接続線に接続される第３接続線と、電源又はグランドに接続される第４接続線と、第３接続線と第４接続線とを電気的に接続又は開放するスイッチ部と、をさらに有し、スイッチ部が操作され、第３接続線と第４接続線とが電気的に接続されて熱源機のマイコンポートが第４接続線と同電位となることにより、熱源機側から温水マットに温水が供給されることを特徴とする。
【００１０】
これらによれば、温水プラグは、温水コンセント接続時において、熱源機のマイコンポートから延びる第１接続線に接続する第２接続線をさらに有する。このため、マイコンポートは温水プラグ先端まで電気的に接続される。また、接続ケースは、温水プラグ接続時において、第２接続線に接続される第３接続線と、電源又はグランドに接続される第４接続線と、第３接続線と第４接続線とを電気的に接続又は開放するスイッチ部と、をさらに有する。このため、スイッチ部により第３接続線と第４接続線とを電気的に接続した場合には、熱源機のマイコンポートまで電気的に接続されることなり、スイッチ操作の内容を熱源機のマイコンまで伝えることができる。このため、ユーザは、マット部材の端部に設けられる接続ケースのスイッチ部を操作することにより、温水マットを使用することができ、わざわざ台所等に出向く必要がない。従って、利便性を向上させることが可能な温水マットを提供することができる。
【発明の効果】
【００１１】
本発明によれば、利便性を向上させることが可能な温水マット及び床暖房システムを提供することができる。
【図面の簡単な説明】
【００１２】
【図１】本実施形態に係る床暖房システムを示す概略構成図である。
【図２】図１に示した床暖房システムの模式図である。
【図３】図１及び図２に示した接続ケースの一例を示す斜視図である。
【図４】図１及び図２に示した接続プラグの一例を示す斜視図である。
【図５】図１及び図２に示した温水コンセントの一例を示す正面図である。
【発明を実施するための形態】
【００１３】
まず、本実施形態に係る床暖房システムを説明する。図１は、本実施形態に係る床暖房システム１を示す概略構成図である。床暖房システム１は、熱源機１０と、温水コンセント２０と、温水マットＭとから構成されている。熱源機１０は、温水を生成するものであり、往路配管１１及び復路配管１２を備えている。往路配管１１は、熱源機１０で生成された温水を屋内に導く配管であり、温水復路１２は、温水マットＭから戻ってくる温水を熱源機１０に導く配管である。これら配管１１，１２は、一端が熱源機１０に接続され、他端が屋内の温水コンセント２０に接続されている。
【００１４】
より詳細に熱源機１０は、低温用温水回路と、高温用温水回路とを有している。低温用温水回路は、使用者の好みの温度（６０℃未満の温度）で温水を屋内に供給可能な回路であり、使用者により設定された６０℃未満の設定温度の温水を生成するものである。一方、高温用温水回路は、８０℃程度の温水を屋内に供給可能な回路であり、高温の温水は例えば浴室乾燥機等に送られる。
【００１５】
上記配管１１，１２は、低温用温水回路と高温用温水回路とのうち、前者のヘッダーに継手を介して接続されている。このため、温水マットＭに供給される温水が熱過ぎて使用者が火傷してしまう事態が防止されている。ここで、熱源機１０は、これに限らず、安価なタイプでは低温用温水回路、または、高温用温水回路のどちらか一方のみの場合もある。
【００１６】
温水コンセント２０は、屋外にある熱源機１０からの温水を屋内に導く導入部位となるものである。温水マットＭは、この温水コンセント２０からの温水を導入し、床暖房に利用したうえで、再度温水コンセント２０に温水を戻す。温水マットＭは、このような温水の循環により、床暖房を実現することとなる。
【００１７】
このような温水マットＭは、マット部材３０と、接続ケース４０と、温水プラグ５０とを備えている。マット部材３０は、折り畳み等可能なシート状の部材であって、内部に温水の通路となる温水路（図２の符号３１参照）を有している。マット部材３０は、熱源機１０からの温水が温水路を流れることにより、暖められることとなる。使用者は、このマット部材３０上にカーペット等を敷いて、床暖房として使用する。
【００１８】
接続ケース４０は、マット部材３０の端部に設けられ、熱源機１０からの温水の入出力部となる部位である。温水プラグ５０は、一端が温水コンセント２０に接続されると共に他端が接続ケース４０に接続され、温水コンセント２０からの温水を接続ケース４０まで導くと共に、接続ケース４０から排出される温水を温水コンセント２０まで導く流路となるものである。なお、本実施形態において温水プラグ５０は、温水コンセント２０に対して着脱自在となっており、接続ケース４０に対しては着脱不可に取り付けられているが、これに限らず、接続ケース４０に対しても着脱自在となっていてもよい。
【００１９】
図２は、図１に示した床暖房システム１の模式図である。図２に示すように、温水コンセント２０は、温水供給路２１と、温水排出路２２を有している。温水供給路２１は、熱源機１０から延びる往路配管１１に接続されており、熱源機１０からの温水の供給口となる部位である。温水排出路２２は、熱源機１０から延びる復路配管１２に接続されており、熱源機１０への温水の排出口となる部位である。
【００２０】
また、温水プラグ５０は、温水往路５１と温水復路５２とを有している。温水往路５１は、温水プラグ５０を温水コンセント２０に接続した状態において、温水供給路２１に接続され、温水供給路２１を介して流れてくる温水を接続ケース４０まで導く。温水復路５２は、温水プラグ５０を温水コンセント２０に接続した状態において、温水排出路２２に接続され、接続ケース４０から流れてくる温水を温水供給路２１を介して屋外まで導く。
【００２１】
接続ケース４０は、入力部４１と出力部４２とを有している。入力部４１は、熱源機１０側から供給される温水を入力する部位であり、温水往路５１に接続される。また、出力部４２は、熱源機１０側に温水を出力するための部位であり、温水復路５２に接続される。
【００２２】
このような構成により、熱源機１０にて生成された温水は、往路配管１１を介して温水コンセント２０の温水供給路２１に至る。そして、温水は、温水プラグ５０の温水往路５１、及び、接続ケース４０の入力部４１を介してマット部材３０の温水路３１に至り、マット部材３０を温めることとなる。
【００２３】
マット部材３０を温めた温水は、接続ケース４０の出力部４２、及び、温水プラグ５０の温水往路５１を介して温水排出路２２に至る。そして、温水は、復路配管１２を介して熱源機１０に至ることとなる。
【００２４】
さらに、本実施形態において床暖房システム１は、導電性部材によって構成された第１〜第４接続線１３，５３，４３，４４を備えている。具体的に説明すると、熱源機１０は第１接続線１３を備えている。第１接続線１３は、一端がマイコンポートに接続されている。本実施形態において熱源機１０は、このポート電圧がロウとなることにより、温水回路による温水の生成等の制御を実行するようになっている。なお、第１接続線１３の他端は、温水コンセント２０に接続されている。
【００２５】
また、温水プラグ５０は、第２接続線５３を有している。第２接続線５３は、温水プラグ５０が温水コンセント２０に接続される状態において、熱源機１０のマイコンポートから延びる第１接続線１３に接続するようになっている。
【００２６】
さらに、接続ケース４０は、第３接続線４３、第４接続線４４、及びスイッチ部４５を備えている。第３接続線４３は、温水プラグ５０が接続ケース４０に接続される状態において、一端が第２接続線４３と電気的に接続される。第４接続線４４は、他端がグランド接続されている。詳細に本実施形態において第４接続線４４の他端は、温水プラグ５０及び温水コンセント２０を経て熱源機１０内まで導かれ、熱源機１０内においてグランド接続されている。ここで、第４接続線４４の他端は熱源機１０内まで導かれる場合に限らず、例えば温水コンセント２０内や接続ケース４０内にグランド部を備えるなど、他の部位においてグランド接続されていてもよい。
【００２７】
スイッチ部４５は、第３接続線４３の他端と第４接続線４４の一端との間に介在しており、第３接続線４３と第４接続線４４とを電気的に接続又は開放するものである。具体的にスイッチ部４５がオンされると、第４接続線４４の他端がグランド接続されていることから、第３接続線４３、第２接続線５３及び第１接続線１３を介して熱源機１０のマイコンのポート電圧がロウとなる。これにより、熱源機１０は、温水の生成等の制御を実行することとなる。
【００２８】
このように、本実施形態ではマット部材３０の端部に設けられる接続ケース４０にスイッチ部４５を備えており、スイッチ部４５を操作することによって温水マットＭを使用することができる。従って、台所等に設けられるリモコンを操作するために台所等に出向く必要がなく、利便性が向上することとなる。なお、上記において第４接続線４４は、実際には第１〜第３接続線１３，５３，４３と同様に、温水プラグ５０が温水コンセント２０及び接続ケース４０に接続された状態において接続ケース４０から熱源機１０までつながった状態となることはいうまでもない。
【００２９】
図３は、図１及び図２に示した接続ケース４０の一例を示す斜視図である。なお、図３では、便宜的にマット部材３０及び温水プラグ５０の一部についても図示している。
【００３０】
図３に示すように接続ケース４０は、略直方体形状の箱型に形成されており、箱の側面に温水プラグ５０が接続されている。また、温水プラグ５０が接続される反対側にはマット部材３０が接続ケース４０の上下壁に挟持されるように設けられている。
【００３１】
さらに、接続ケース４０の温水プラグ５０が接続される側面には、スイッチ部４５が外部に露出した状態で形成されている。スイッチ部４５は、シーソースイッチにより構成されており、オン操作することにより第３接続線４３と第４接続線４４とが電気的に接続される。なお、図２に示した第３接続線４３及び第４接続線４４は接続ケース４０の内部に設けられている。
【００３２】
図４は、図１及び図２に示した接続プラグ５０の一例を示す斜視図である。図４に示すように接続プラグ５０は、長手方向に伸びると共に蛇腹状に形成され、屈曲自在なホース部５４を備えている。上記した温水往路５１、温水復路５２、第２接続線５３及び第４接続線４４は、ホース部５４の内部に収納された状態となっており、図４ではホース部５４の一端部から露出している。これら温水往路５１、温水復路５２、及び第２接続線５３は、接続ケース４０の入力部４１、出力部４２及び第３接続線４３にそれぞれ接続される。また、接続プラグ５０は、他端部にプラグ部５５を備えている。このプラグ部５５は、断面長円形となっており、温水コンセント２０に接続される。
【００３３】
図５は、図１及び図２に示した温水コンセント２０の一例を示す正面図である。図５に示すように、温水コンセント２０は、断面長円形のプラグ部５５に合致するように、略長円形の開口部２３が形成されている。温水コンセント２０は、開口部２３にプラグ部５５を接続することで、温水供給路２１と温水往路５１及び温水排出路２２と温水復路５２とが接続される。また、温水コンセント２０には電気接続部２４が形成されている。温水プラグ５０の第２接続線５３は、プラグ部５５を温水コンセント２０に接続することにより、電気接続部２４を介して熱源機１０の第１接続線１３と電気的に接続することとなる。なお、この接続により第４接続線４４についても熱源機１０内のグランド部まで接続されることとなる。
【００３４】
次に、本実施形態に係る床暖房システム１及び温水マットＭの動作等を説明する。なお、以下の説明において、接続ケース４０と温水プラグ５０とは着脱不可となっているものとする。
【００３５】
まず、使用者は、温水プラグ５０のプラグ部５５を温水コンセント２０に接続する。これにより、往路配管１１、温水供給路２１、温水往路５１及び入力部４１がつながると共に、復路配管１２、温水排出路２２、温水復路５２及び出力部４２がつながって、マット部材３０に温水が供給可能となる。また、第１〜第３接続線１３，５３，４３についても電気的に接続されることとなる。さらに、第４接続線４４についても接続ケース４０から熱源機１０のグランド部まで電気的に接続されることとなる。
【００３６】
次に、使用者は、スイッチ部４５をオン操作する。これにより、第３接続線４３と第４接続線４４とが電気的に接続される。ここで、第４接続線４４の他端は熱源機１０内においてグランド接続されていることから、スイッチ部４５のオン操作により熱源機１０のマイコンポートの電圧はロウとなる。これにより、熱源機１０は、温水を生成すると共に、各種ポンプや弁等についても動作させることとなる。
【００３７】
そして、温水がマット部材３０に供給される。これにより、使用者は床暖房を実現することができる。
【００３８】
このようにして、本実施形態に係る温水マットＭ及び床暖房システム１によれば、温水プラグ５０は、温水コンセント２０の接続時において、熱源機１０のマイコンポートから延びる第１接続線１３に接続する第２接続線５３を有している。このため、マイコンポートは温水プラグ５０の先端まで電気的に接続される。また、接続ケース４０は、温水プラグ５０の接続時において第２接続線５３に接続される第３接続線４３と、電源又はグランドに接続される第４接続線４４と、第３接続線４３と第４接続線４４とを電気的に接続又は開放するスイッチ部４５を有している。このため、スイッチ部４５により第３接続線４３と第４接続線４４とを電気的に接続した場合には、熱源機１０のマイコンポートまで電気的に接続されることなり、スイッチ操作の内容を熱源機１０のマイコンまで伝えることができる。このため、ユーザは、マット部材３０の端部に設けられる接続ケース４０のスイッチ部４５を操作することにより、温水マットＭを使用することができ、わざわざ台所等に出向く必要がない。従って、利便性を向上させることが可能な温水マットＭを提供することができる。
【００３９】
以上、実施形態に基づき本発明を説明したが、本発明は上記実施形態に限られるものではなく、本発明の趣旨を逸脱しない範囲で、変更を加えてもよい。例えば、本実施形態において図示した各種構成や寸法等については図示したものに限られるものではない。
【００４０】
また、本実施形態において第４接続線４４は他端がグランド接続されているが、これに限らず、他端に電源が設けられ、スイッチ部４５がオン操作されたときに、マイコンポートの電圧がハイとなるようになっていてもよい。また、第４接続線４４の他端は、熱源機１０まで導かれる場合に限らず、温水コンセント２０や接続ケース４０内においてグランド接続されていたり電源に接続されていたりしてもよい。
【００４１】
さらに、本実施形態においてスイッチ部４５がシーソースイッチにより構成されているが、これに限らず、プッシュスイッチなど他の種類のスイッチにより構成されていてもよい。
【符号の説明】
【００４２】
１  床暖房システム
１０  熱源機
１１  往路配管
１２  復路配管
１３  第１接続線
２０  温水コンセント
２１  温水供給路
２２  温水排出路
２３  開口部
２４  電気接続部
３０  マット部材
３１  温水路
４０  接続ケース
４１  入力部
４２  出力部
４３  第３接続線
４４  第４接続線
４５  スイッチ部
５０  温水プラグ
５１  温水往路
５２  温水復路
５３  第２接続線
５４  ホース部
５５  プラグ部
【図１】
0005838060.tif 000002
【図２】
0005838060.tif 000003
【図３】
0005838060.tif 000004
【図４】
0005838060.tif 000005
【図５】
0005838060.tif 000006